(57)【特許請求の範囲】
【請求項１】
測定信号系路に直流カットコンデンサと、その直流カットコンデンサの出力する交流信号のピーク・ピーク電圧に対応した直流電圧を出力するピークホールド回路と、このピークホールド回路が出力する直流電圧をＡＤ変換するＡＤ変換器とを具備しているピーク・ピーク電圧測定装置の校正方法において、
上記測定信号系路にレンジ切替スイッチ及び、上記ピークホールド回路と直流カットコンデンサとを側路して上記レンジ切替スイッチで選択した各レンジの信号を上記ＡＤ変換器に直接入力する直流印加回路とを設け、
校正モードで上記測定信号系路の入力端子に共通電位を与えるステップと、
上記入力端子に共通電位を与える状態で測定信号系路の第１レンジのオフセット係数ＫＦ1 と第２レンジのオフセット係数ＫＦ２ とを求めるステップと、
校正モードで上記測定信号系路の入力端子に既知の直流電圧を与えるステップと、
上記既知の直流電圧を与える状態でこの直流電圧を断続させてパルス信号を生成するステップと、
このパルス信号により測定信号系路の第１レンジの交流ゲイン係数ＫＧ1 を求めるステップと、
これら各ステップで求めた交流ゲイン係数とオフセット係数とを記憶するステップと、
上記測定信号系路の入力端子に上記既知の直流電圧を印加し、この直流電圧の印加状態において上記第１レンジと第２レンジの直流ゲイン係数ＡＧ1 、ＡＧ2 を求めると共に、これらの直流ゲイン係数ＡＧ1 、ＡＧ2、及び上記第１レンジの交流ゲイン係数ＫＧ1により第２レンジの交流ゲイン係数ＫＧ2 をＫＧ2 ＝（ＡＧ2 ／ＡＧ1 ）ＫＧ1 によって求めて記憶するステップとを実行することを特徴とするピーク・ピーク電圧測定装置の校正方法。
【請求項２】
請求項１記載のピーク・ピーク電圧測定装置の校正方法によって求めた交流ゲイン係数ＫＧ1 とオフセット係数ＫＦ1 とを使ってＡＤ変換器が出力するデジタル値Ｖ1 をＫＧ1 ・Ｖ1 −ＫＦ1 により補正して表示することを特徴とするピーク・ピーク電圧測定装置。
【請求項３】
請求項１記載のピーク・ピーク電圧測定装置の校正方法によって得られた交流ゲイン係数ＫＧ2 とオフセット係数ＫＦ2 とにより、ＡＤ変換器が出力するデジタル値Ｖ2 をＫＧ2 ・Ｖ2 −ＫＦ2 により補正して表示することを特徴とするピーク・ピーク電圧測定装置。
【発明の詳細な説明】
【０００１】
【発明の属する技術分野】
この発明は交流信号のピーク・ピーク電圧を測定するピーク・ピーク電圧測定装置の校正方法と、この校正方法によって校正されて動作するピーク・ピーク電圧測定装置に関する。
【０００２】
【従来の技術】
図５に従来のピーク・ピーク電圧測定装置の構成を示す。入力端子Ｔｉｎに入力された被測定信号Ｖｍは直流カットコンデンサ１を通じてレンジアンプＡ１とＡ２に入力される。レンジアンプＡ１とＡ２の出力側にレンジ切替スイッチＳ３が接続され、レンジ切替スイッチＳ３と直流カットコンデンサ３を通じてピークホールド回路４に入力される。
【０００３】
ピーク・ピーク電圧ホールド回路４にホールドされたピーク・ピーク電圧Ｖｐ−ｐはピーク間ホールド電圧であり、直流電圧として出力され、この直流電圧がＡＤ変換器５に入力され、ＡＤ変換器５でＡＤ変換されてマイクロコンピュータから成る演算処理装置６に取り込まれる。その取り込まれたピーク・ピーク電圧は表示器７に測定値として表示される。
【０００４】
被測定信号に形態として図６Ａに示すように共通電位０Ｖを中心に正と負に振れる交流信号ＶAC1 と、図６Ｂに示すように直流電圧ＶDCに重畳した交流信号ＶAC2 のピーク・ピーク電圧ＶP −P2を測定する場合とがある。図６Ｂに示す直流電圧ＶDCに重畳した交流信号ＶAC2 のピーク・ピーク電圧ＶP-P2を測定するには直流カットコンデンサの存在が必要不可欠である。従って図５に示すように、従来のピーク・ピーク電圧測定装置でも直流カットコンデンサ１と３が測定信号系路に直列接続され、直流電圧がＡＤ変換器５に入力されることを阻止する構成とされる。
【０００５】
図５に示したように従来より、ピーク・ピーク電圧測定のために直流カットコンデンサ１と３が測定信号系路に直列接続されているため、校正を行う場合には交流の標準電圧を入力端子Ｔｉｎに入力し、入力された既知の交流電圧信号により測定信号系路により測定信号系路の交流ゲイン係数ＫＧ1,ＫＧ2 とオフセット係数ＫＦ1,ＫＦ2 を算出し、これらの交流ゲイン係数ＫＧ1,ＫＧ2 とオフセット係数ＫＦ1,ＫＦ2 を記憶保持して実際の表示値Ｙを
（第１レンジ）Ｙ1 ＝ＫＧ1 ・Ｖ1 −ＫＦ1 
（第２レンジ）Ｙ2 ＝ＫＧ2 ・Ｖ2 −ＫＦ2 
（Ｖ1,Ｖ2 は実際の被測定ピーク・ピーク電圧をＡＤ変換した値）
によって補正して表示している。
【０００６】
交流ゲイン係数ＫＧ1 とＫＧ2 は次のようにして求められる。
レンジ１の場合、
フルスケール近辺の既知の交流電圧ｙf1を入力した時のＡＤ変換値ｘf1と、ゼロ近辺の既知の交流電圧ｙz1を入力した時のＡＤ変換値ｘz1から
ＫＧ1 とＫＦ1 は
ＫＧ1 ＝（ｙf1−ｙz1）／（ｘf1−ｘz1）
ＫＦ1 ＝ｘz1・ＫＧ1−ｙz1 
となる。
【０００７】
レンジ２の場合、
ＫＧ2 ＝（ｙf2−ｙz2）／（ｘf2−ｘz2）
ＫＦ2 ＝ｘz2・ＫＧ2−ｙz2 
で求められる。
このように従来は各レンジ毎に校正用として交流電圧ｙf1、ｙz1、ｙf2、ｙz2を発生させ、この交流電圧ｙf1、ｙz1とｙf2、ｙz2によってゲイン係数ＫＧ1 、ＫＦ1 、ＫＧ2 、ＫＦ2 を求めている。
【０００８】
【発明が解決しようとする課題】
上述したようにピーク・ピーク電圧測定装置は各測定レンジ毎に交流の校正用電圧ｙf1、ｙz1、ｙf2、ｙz2を必要とするが、この校正用の交流電圧発生器は高価であるため、ピーク・ピーク電圧測定装置を利用するユーザーには経済的な負担が重く掛かる欠点がある。
【０００９】
この発明の目的は直流電圧源を校正信号源として用いることにより校正を安価に行うことができるピーク・ピーク電圧測定装置の校正方法と、この校正方法によって校正することができるピーク・ピーク電圧測定装置を提供しようとするものである。
【００１０】
【課題を解決するための手段】
この発明では測定信号系路に直流カットコンデンサと交流信号のピーク・ピーク電圧に対応した直流電圧を出力するピークホールド回路と、このピークホールド回路が出力する直流電圧をＡＤ変換するＡＤ変換器とを具備し、このＡＤ変換器において被測定信号のピーク・ピーク電圧をデジタル値に変換し、このデジタル値を表示器に表示する構成とされたピーク・ピーク電圧測定装置において、
校正モードで測定信号系路の入力端子に共通電位を与えるステップと、
同様に測定信号系路の入力端子に既知の直流電圧を与えるステップと、
入力端子に共通電位を与える状態で測定信号系路のオフセット係数ＫＦ1 、ＫＦ2 を求めるステップと、
既知の値を持つ直流電圧を与える状態で、この直流電圧を断続させてパルス信号を生成するステップと、
このパルス信号により測定信号系路の交流ゲイン係数を求めるステップと、
これらの各ステップで求めた交流ゲイン係数とオフセット係数とを記憶するステップとを実行することを特徴とするピーク・ピーク電圧測定装置の校正方法を提案するものである。
【００１１】
またこの発明では測定信号系路にレンジ切替スイッチを設けた構造のピーク・ピーク電圧測定装置において、感度がＮ倍高いレンジを校正する場合は既知の直流電圧値を１／Ｎに低減する減衰器を接続し、同一の直流電圧源を用いて感度がＮ倍高いレンジを校正するピーク・ピーク電圧測定装置の校正方法を提案するものである。
【００１２】
この発明では更に、感度の高い第２レンジの交流ゲイン係数ＫＧ2 を求める校正モードにおいて直流カットコンデンサとピークホールド回路とを側路させる直流印加回路を設け、この直流印加回路により各レンジ毎の直流ゲイン係数ＡＧ1,ＡＧ2 と直流オフセット係数ＡＦ1,ＡＦ2 とを求め、この直流ゲイン係数及び直流オフセット係数と、請求項１で求めた交流ゲイン係数ＫＧ1 とにより感度の高いレンジの交流ゲイン係数ＫＧ2 をＫＧ2 ＝（ＡＧ2 ／ＡＧ1 ）・ＫＧ1 によって算出することを特徴とするピーク・ピーク電圧測定装置の校正方法を提案するものである。
【００１３】
この発明によるピーク・ピーク電圧測定装置は測定信号系路の入力側に校正モード時に測定信号系路に直列接続される励振スイッチと、測定信号系路の入力端子に接続される直流電圧源の電圧をそのまま出力する状態と、１／Ｎに減衰させて出力する状態に切り替えられる可変減衰器と、レンジ切替スイッチで選択して取り出した校正用の直流電圧をＡＤ変換器に直接供給する直流印加回路とを設けた構成のピーク・ピーク電圧測定装置を提案するものである。
【００１４】
この発明によるピーク・ピーク電圧測定装置の校正方法によれば既知の電圧を持つ直流電圧を断続させてパルスを発生させ、このパルスを利用して各レンジ毎の交流ゲイン係数ＫＧ1,ＫＧ2 とオフセット係数ＫＦ1,ＫＦ2 を求めて記憶するから、交流の標準信号源を用意しなくてもピーク・ピーク電圧測定装置の校正を行うことができる。よって校正に要する経費を安価に済ませることができる利点が得られる。
【００１５】
更に、この発明では高感度のレンジを校正するモードでは直流印加回路によって直流カットコンデンサとピークホールド回路を側路させて入力端子に与えた直流電圧を直接ＡＤ変換器に入力し、各レンジの直流ゲイン係数ＡＧ1 とＡＧ2 を求める校正方法を提案する。この校正方法を採った場合には高感度レンジの校正を直流で行うから、パルス化によって発生するノイズの影響を低減することができ、この点で校正の精度を高めることができる利点が得られる。
【００１６】
【発明の実施の形態】
図１にこの発明に関わる提案例を示す。図１において図５と対応する部分には同一符号を付して示す。
この発明においては入力端子ＴｉｎとレンジアンプＡ１，Ａ２の間にモード切替スイッチＳ１，Ｓ２を設け、このモード切替スイッチＳ１とＳ２によって直流カットコンデンサ１を選択した状態と、校正用回路８を選択した状態に切り替えることができる構成とした点を特徴とするものである。
【００１７】
更に、詳しくは校正モードでは入力端子Ｔｉｎに校正用電圧源１１を接続し、この校正用電圧源１１から直流の校正電圧を入力端子Ｔｉｎに印加し、この直流の校正電圧を校正用回路８に設けた励振スイッチＳ６で断続し、この断続動作によってパルス信号を生成し、このパルス信号を用いて校正を行うように構成した点を特徴とするものである。
【００１８】
校正用電源１１は所望の電圧を出力することができる可変型の直流電圧源１１Ａと、この直流電圧源１１Ａの電圧ＶＲを入力端子Ｔｉｎに印加する状態と、入力端子Ｔｉｎに共通電位を与える状態に切替わる切替スイッチＳ７とを具備して構成される。
校正用回路８はモード切替スイッチＳ１とＳ２によって選択的に測定信号系路に接続される。つまり、モード切替スイッチＳ１とＳ２を接点ａに転換するとピーク・ピーク電圧測定モードとされ、この場合は測定信号系路に直流カットコンデンサ１が接続される。
【００１９】
モード切替スイッチＳ１とＳ２を接点ｂに転換すると校正モードとされる。この場合には測定信号系路に校正用回路８が直列に挿入される。校正用回路８は励振スイッチＳ６と、減衰器ＡＴＴとによって構成される。減衰器ＡＴＴには選択スイッチＳ５が設けられ、接点ａを選ぶと入力端子Ｔｉｎに入力した電圧ＶＲがそのままモード切替スイッチＳ２に送り出される。また接点ｂを選択すると、入力端子Ｔｉｎに入力される電圧ＶＲを１／Ｎに分圧してモード切替スイッチＳ２に送り出す。
【００２０】
モード切替スイッチＳ２にはレンジアンプＡ１とＡ２を接続し、レンジアンプＡ１とＡ２の出力端子をそれぞれレンジ切替スイッチＳ３の接点ａとｂに接続する。この例ではレンジアンプＡ１が１倍の増幅度、レンジアンプＡ２はこの例では１０倍の増幅度とする。従って先に説明した減衰器ＡＴＴはスイッチＳ５を接点ｂに転換すると入力される電圧を１／１０に減衰させる減衰比に設定される。
【００２１】
レンジ切替スイッチＳ３の後段には直流カットコンデンサ３とピークホールド回路４との直列回路が接続される。ピークホールド回路４の出力電圧信号はＡＤ変換器５に入力され、ＡＤ変換して演算処理装置６に入力される。
通常の測定モードではモード切替スイッチＳ１，Ｓ２は接点ａに転換され、被測定信号のレベルに応じてレンジ切替スイッチＳ３が接点ａ又はｂに転換され、被測定信号のピーク・ピーク電圧に対応した直流電圧がピークホールド回路４から出力され、この直流電圧がＡＤ変換器５でＡＤ変換されて演算処理装置６に入力され、表示器７に表示される。
【００２２】
この発明では直流の校正用電圧源１１を用いてピークホールド回路４を含むピーク・ピーク電圧測定装置を校正する校正方法を提案するものである。  つまり、校正回路８に励振スイッチＳ６を設け、この励振スイッチＳ６を例えば演算処理装置６から１ＫＨｚ程度の励振信号で励振し、１ＫＨｚの繰返し速度で接点ａとｂに交互に転換する。この転換動作によってレンジアンプＡ１及びＡ２の入力端子には共通電位と直流電源１１Ａに設定した電圧ＶＲとの間を変化するパルスが与えられる。このパルスを利用して交流ゲイン係数ＫＧ1,ＫＧ2 とオフセット係数ＫＦ1,ＫＦ2 を求める。
【００２３】
このためにはモード切替スイッチＳ１，Ｓ２を接点ｂに、切替スイッチＳ７を接点ａにレンジ切替スイッチＳ３，Ｓ５を接点ａに転換した状態で第１レンジの校正を行う。この校正は従来の技術と同様に交流ゲイン係数ＫＧ1 とオフセット係数ＫＦ1 を
ＫＧ1 ＝（ｙf1−ｙz1）／（ｘf1−ｘz1）
ＫＦ1 ＝ｘz1・ＫＧ1−ｙz1 
ｙf1：フルスケールに対応したピーク・ピーク電圧（第１レンジがフルスケールが１０      ０ｍＶｐ−ｐの場合には直流電圧源の１１Ａに設定する電圧を正確な電圧測定器を      用いて１００ｍＶに設定し、その値がｙf1である）
ｙz1：ゼロに対応した値の直流入力電圧値、従ってｙz1＝０
ｘf1：ｙf1を入力したときのＡＤ変換器５の出力値
ｘz1：ｙz1を入力したときのＡＤ変換器５の出力値
で求める。尚、ｘz1を求める場合はスイッチＳ７を接点ｂに転換する。
【００２４】
また第２レンジの交流ゲイン係数ＫＧ2 とオフセット係数ＫＦ2 はレンジ切替スイッチＳ３とＳ５を接点ｂに切り替え、第１レンジの場合と同様に
ＫＧ2 ＝（ｙf2−ｙz2）／（ｘf2−ｘz2）
ＫＦ2 ＝ｘz2・ＫＧ2−ｙz2 
で求められる。
【００２５】
従って、この発明では直流の校正用電圧源１１を用いて校正を行うことができるから、安価な装置で校正を行うことができる利点が得られる。
ところで、図１では感度が高い第２レンジも励振スイッチＳ６で発生したパルスを利用して交流ゲイン係数ＫＧ2 を求めたが、実際上はパルスには立上がり及び立下りのタイミングでノイズが発生し、感度の高いレンジではノイズによる誤差が大きく出る傾向にある。
【００２６】
このため、この発明では感度の高いレンジでは励振スイッチＳ６を接点ａに転換した状態に停止させ、更に図２に示すように直流印加回路９と切替スイッチＳ４を設け、この直流印加回路９を利用してＡＤ変換器５に測定信号系路を通った校正用電源１１の電圧ＶＲを直接印加し、これにより第１レンジと第２レンジの直流ゲイン係数ＡＧ1 とＡＧ2 を求め、この直流ゲイン係数ＡＧ1 とＡＧ2 によって感度が高い第２レンジの交流ゲイン係数ＫＧ2 を
ＫＧ2 ＝（ＡＧ2 ／ＡＧ1 ）ＫＧ1 
により算出する校正方法をも提案する。
【００２７】
以下に直流校正によって第２レンジの交流ゲイン係数ＫＧ2 を求めることができる理由を説明する。
レンジアンプＡ１のゲインをＧa1，オフセットをＯa1、レンジアンプＡ２のゲインをＧa2，オフセットをＯa2、ピークホールド回路４のゲインをＧｂ、オフセットをＯｂ、直流印加回路９のゲインをＧｃ、オフセットをＯｃ、第１及び第２レンジアンプＡ１，Ａ２の入力側の信号の値をｘ1 、レンジアンプＡ１，Ａ２の出力側の信号の値をｘ2 、ＡＤ変換器５の出力値をＶ1,Ｖ2,表示器７に送り込まれる測定値をｙとした場合、通常の測定モードでは第１レンジのとき
ｘ2 ＝Ｇa1・ｘ1 ＋Ｏa1
Ｖ1 ＝Ｇb ・ｘ2 ＋Ｏb 
＝Ｇb ・Ｇa1・ｘ1 ＋Ｇb ・Ｏa1＋Ｏb 
Ｖ1 の値を校正係数ＫＧ1 、ＫＦ1 で演算した結果が入力の真値ｘ1 と同じ値を表示するため
ｙ1 ＝ＫＧ1 Ｖ1 −ＫＦ1 
＝ＫＧ1 ・Ｇb ・Ｇa1・ｘ1 ＋ＫＧ1(Ｇb ・Ｏa1＋Ｏb )−ＫＦ1 ＝ｘ1   ＫＧ1 ＝１／（Ｇb ・Ｇa1），ＫＦ1 ＝ＫＧ1(Ｇb ・Ｏa1＋Ｏb ) ・・(1)
第２レンジでは同様に
（第２レンジではレンジスイッチＳ３を接点ｂに転換）
ＫＧ2 ＝１／（Ｇb ・Ｇa2），ＫＦ2 ＝ＫＧ2(Ｇb ・Ｏa2＋Ｏb ) ・・(2)
ここで直流校正を実行する。スイッチＳ１，Ｓ２，Ｓ４を接点ｂに、スイッチＳ３，Ｓ５は接点ａ，スイッチＳ６，Ｓ７は接点ａに設定した状態で第１レンジでは
ｘ2 ＝Ｇa1・ｘ1 ＋Ｏa1
Ｖ2 ＝Ｇc ・ｘ2 ＋ＯC 
＝Ｇc ・Ｇa1・ｘ1 ＋Ｇc ・Ｏa1＋Ｏc 
直流校正のゲイン係数をＡＧ1 、オフセット係数をＡＦ1 とすると
ＡＧ1 ＝１／（Ｇc ・Ｇa1），ＡＦ1 ＝ＡＧ1(Ｇc ・Ｇa1＋Ｏc ) ・・(3)
第２レンジでは同様に
（第２レンジではレンジスイッチＳ３とＳ５を接点ｂに転換）
ＡＧ2 ＝１／（Ｇc ・Ｇa2），ＡＦ2 ＝ＡＧ2(Ｇc ・Ｇa2＋Ｏc ) ・・(4)
(1) 、(2) 、(3) 、(4) 式より
ＫＧ2 ／ＫＧ1 ＝Ｇa1／Ｇa2＝ＡＧ2 ／ＡＧ1 
ＫＧ2 ＝（ＡＧ2 ／ＡＧ1 ）ＫＧ1 
となるから、交流ゲインＫＧ2 を求めるには直流ゲイン係数ＡＧ1,ＡＧ2 を求めればよい。
【００２８】
ＡＧ1 は第１レンジの直流ゲイン係数であるから、スイッチＳ１、Ｓ２，Ｓ４を接点ｂ、スイッチＳ３，Ｓ５を接点ａスイッチＳ６を接点ａに設定し、
入力端子Ｔｉｎに標準電圧ＶＲと共通電位とを入力し、直流ゲイン係数ＡＧ1 とオフセット係数ＡＦ1 を下式で求める。
ＡＧ1 ＝（ｙdf1 −ｙdz1 ）／（ｘdf1 −ｘdz1 ）
ＡＦ1 ＝ｘdz1・ＡＧ1 −ｙdz1
ｙdf1 ：第１レンジのフルスケール値に設定した直流電圧源１１Ａの電圧ＶＲの値
ｙdz1 ：ゼロ時の入力電圧
ｘdf1 ：ｙdf1 を入力したときのＡＤ変換値
ｘdz1 ：ｙdz1 を入力したときのＡＤ変換値
次に第２レンジの直流ゲイン係数ＡＧ2 を求める。
【００２９】
第２レンジの直流ゲイン係数ＡＧ2 も第１レンジの直流ゲイン係数ＡＧ1 と同様に求められるが、第２レンジでは減衰器ＡＴＴを通すから、減衰器ＡＴＴの減衰比（減衰器ＡＴＴの出力の真値）を求める必要がある。
スイッチＳ１，Ｓ２，Ｓ４を接点ｂ、スイッチＳ３を接点ａ，スイッチＳ５を接点ｂ，スイッチＳ６を接点ａに設定し、第１レンジの校正で求めたＡＧ1 とＡＦ1 を用いて減衰器ＡＴＴの出力の真値ｙdf2 とｙdz2 を求める。
【００３０】
ｙdf2 はフルスケール入力時の減衰器ＡＴＴの出力真値、ｙdz2 はゼロ時の減衰器ＡＴＴの出力の真値である。ｙdf2 とｙdz2 は次式で求められる。
ｙdf2 ＝ＡＧ1 ・ｘdf1 ′−ＡＦ1 
ｙdz2 ＝ＡＧ1 ・ｘdZ1 ′−ＡＦ1 
ｘdf1 ′：ｙdf1 を入力し、減衰器ＡＴＴ出力を第１レンジで測定したときのＡＤ変換値
ｘdZ1 ′：ｙdZ1 を入力し、減衰器ＡＴＴ出力を第１レンジで測定したときのＡＤ変換値
更に、ｘdf2 とｘdz2 を求める。ｘdf2 はｙdf2 を入力し、第２レンジで測定したときのＡＤ変換器５の出力値、ｘdz2 はｙdz2 を入力し、第２レンジで測定したときのＡＤ変換器５の出力値。
【００３１】
これらが求められたことにより第２レンジの直流ゲイン係数ＡＧ2 と直流オフセット係数ＡＦ2 は、
ＡＧ2 ＝（ｙdf2 −ｙdz2 ）／（ｘdf2 −ｘdz2 ）
ＡＦ2 ＝ｘdz2・ＡＧ2 −ｙdz2 
で求められる。
【００３２】
第２レンジの直流ゲイン係数ＡＧ2 が求められたことにより第２レンジの交流ゲイン係数ＫＧ2 は
ＫＧ2 ＝（ＡＧ2 ／ＡＧ1 ）・ＫＧ1 
で求められる。
ＫＦ2 はスイッチＳ１，Ｓ２，Ｓ４を接点ａ、スイッチＳ３を接点ｂとし、スイッチＳ７を接点ｂとし、入力Ｔｉｎに共通電位を与え、第２レンジでピーク・ピーク測定を行い、下式で求める。
【００３３】
ＫＦ2 ＝ｘz2・ＫＧ2−ｙz2 
ｙz2：ゼロに対応した値の直流入力電圧値
従ってｙz2＝０
ｘz2：ｙz2を入力したときのＡＤ変換値
これらの係数ＫＧ1,ＫＧ2,及びＫＦ1,ＫＦ2 を演算処理装置６の記憶器に記憶させておくことにより、通常の測定モードではＡＤ変換器５でＡＤ変換した測定値Ｖ1 とＶ2 に対して、表示値Ｙ1,Ｙ2 を
（第１レンジ）Ｙ1 ＝ＫＧ1 ・Ｖ1 −ＫＦ1 
（第２レンジ）Ｙ2 ＝ＫＧ2 ・Ｖ2 −ＫＦ2 
によって補正することにより校正された測定値を表示することができる。
【００３４】
図３に直流の校正モードを実行するプログラムの概要を示す。ステップ▲１▼〜▲６▼により第１レンジのオフセット係数ＫＦ1,ＫＦ2 と、交流ゲイン係数ＡＧ1,と直流オフセット係数ＡＦ1,減衰器ＡＴＴの真の出力値ｙdf2,ｙdz2 第２レンジの直流ゲイン係数ＡＧ2 が求められる。この校正動作を実行するプログラムは入力端子Ｔｉｎに校正用電圧源１１を接続した状態で校正モードの指令スイッチを操作することにより、自動的に実行される。ステップ▲１▼〜▲６▼の順序は入れ替わってもよい。
【００３５】
図４は図２に示した実施例の変形実施例を示す。この実施例では励振スイッチＳ６の前段側に抵抗器ＲとコンデンサＣとによって構成したフィルタ８ＡとバッファアンプＡ３を設けた構成を提案するものである。フィルタ８Ａを設けたことにより、校正用電圧源１１から混入するノイズを除去し、安定した状態で校正動作が実行できる効果が得られる。
【００３６】
尚、上述ではレンジを２段にした場合を説明したが、この発明は２段に限らずそれ以上のレンジに切替えられる場合にも、各レンジの直流ゲイン係数と直流オフセット係数ＡＧ2,ＡＦ2,ＡＧ3,ＡＦ3,・・・を求めることにより全てのレンジの交流ゲイン係数を求めることができることは容易に理解できよう。
【００３７】
【発明の効果】
以上説明したように、この発明によれば直流の校正用電圧源１１を用いて校正できるから校正のために交流信号源のような高価な装置を用意しなくて済む利点が得られる。
更に、感度の高いレンジの校正を、直流で行う構成とした場合には、パルス化に伴って発生するノイズによる影響を軽減でき、精度のよい校正を行うことができる利点が得られる。
【図面の簡単な説明】
【図１】  この発明に関わる提案例を説明するためのブロック図。
【図２】  この発明の直流校正モードを実行する機能を付加した実施例を示すブロック図。
【図３】  この発明による校正方法に用いるプログラムの概要を説明するためのフローチャート。
【図４】  この発明の変形実施例を説明するためのブロック図。
【図５】  従来の技術を説明するためのブロック図。
【図６】  ピーク・ピーク電圧の測定状況を示す波形図。
【図１】
0003791743.tif 000002
【図２】
0003791743.tif 000003
【図３】
0003791743.tif 000004
【図４】
0003791743.tif 000005
【図５】
0003791743.tif 000006
【図６】
0003791743.tif 000007